(57)【要約】【課題】所定の画像処理モード時の操作体系を工夫して迅速確実にかつ直感的な操作を行い操作性の向上に寄与する。【解決手段】表示部１８に表示された画像に対して所定の画像処理を行わせるための操作用アイコン２１を表示する表示制御部１１ａを具備し、上記操作用アイコン２１は、上記画像内において画像処理適用領域と未適用領域とを比較するための２つの表示領域２１ｅ、２１ｄを有する。【選択図】図１
2018041491.tif 000002
【特許請求の範囲】
【請求項１】
表示部に表示された画像に対して所定の画像処理を行わせるための操作用アイコンを表示する表示制御部を具備し、
上記操作用アイコンは、上記画像内において画像処理適用領域と未適用領域とを比較するための２つの表示領域を有する
ことを特徴とする電子機器。
【請求項２】
上記操作用アイコンには、さらにスライドバーが表示され、
上記操作用アイコンにおける上記２つの表示領域は、上記スライドバーを挟んで決定される第１の領域および第２の領域を含み、上記第１の領域と上記第２の領域とはそれぞれ、上記画像処理適用領域に対応する表示領域と、上記未適用領域に対応する表示領域とに対応し、
上記表示制御部は、当該表示領域内において、当該第１の領域と当該第２の領域との各範囲を決定すべく上記スライドバーをスライド可能に表示制御する
ことを特徴とする請求項１に記載の電子機器。
【請求項３】
上記操作用アイコンには、上記第１の領域と上記第２の領域とを内部に有するリング形状部がさらに表示され、
当該リング形状の回転に応じて、上記画像に対する所定の画像処理の効果を設定する
ことを特徴とする請求項１または２に記載の電子機器。
【請求項４】
上記表示部の表面に配置されたタッチパネルへの操作入力を判定するタッチスライド判定部をさらに有し、
上記表示制御部は、上記タッチスライド判定部において、上記表示部に対する所定のタッチおよびスライド操作がなされたと判定された際に、上記操作用アイコンを上記表示部に表示せしめる
ことを特徴とする請求項１−３のいずれか１項に記載の電子機器。
【請求項５】
表示制御部により表示部に表示された画像に対して所定の画像処理を行わせるための操作用アイコンを表示するステップを有し、
上記操作用アイコンは、上記画像内において画像処理適用領域と未適用領域とを比較するための２つの表示領域を有する
ことを特徴とするアイコン表示方法。
【請求項６】
上記表示制御部による、上記操作用アイコンとしてさらにスライドバーを表示するステップを有し、
上記操作用アイコンにおける上記２つの表示領域は、上記スライドバーを挟んで決定される第１の領域および第２の領域を含み、上記第１の領域と上記第２の領域とはそれぞれ、上記画像処理適用領域に対応する表示領域と、上記未適用領域に対応する表示領域とに対応し、
さらに、上記表示制御部による、当該表示領域内において、当該第１の領域と当該第２の領域との各範囲を決定すべく上記スライドバーをスライド可能に表示制御するステップを有する
ことを特徴とする請求項５に記載のアイコン表示方法。
【請求項７】
上記表示制御部による、上記操作用アイコンとして、上記第１の領域と上記第２の領域とを内部に有するリング形状部をさらに表示するステップと、
当該リング形状の回転に応じて、上記画像に対する所定の画像処理の効果を設定するステップと、
を有することを特徴とする請求項５または６に記載のアイコン表示方法。
【請求項８】
タッチスライド判定部による、上記表示部の表面に配置されたタッチパネルへの操作入力を判定するタッチスライド判定ステップと、
上記表示制御部による、上記タッチスライド判定スッテプにおいて、上記表示部に対する所定のタッチおよびスライド操作がなされたと判定された際に、上記操作用アイコンを上記表示部に表示せしめるステップと、
を有することを特徴とする請求項５−７のいずれか１項に記載のアイコン表示方法。
【請求項９】
コンピュータに、
表示制御部を制御して、表示部に表示された画像に対して所定の画像処理を行わせるための操作用アイコンを表示させるプログラムであって、
上記操作用アイコンは、上記画像内において画像処理適用領域と未適用領域とを比較するための２つの表示領域を有する
ことを特徴とするアイコン表示プログラム。
【請求項１０】
さらに、コンピュータに、
上記表示制御部を制御して、上記操作用アイコンとしてさらにスライドバーを表示させ、
上記操作用アイコンにおける上記２つの表示領域は、上記スライドバーを挟んで決定される第１の領域および第２の領域を含み、上記第１の領域と上記第２の領域とはそれぞれ、上記画像処理適用領域に対応する表示領域と、上記未適用領域に対応する表示領域とに対応し、
さらに、上記表示制御部を制御して、当該表示領域内において、当該第１の領域と当該第２の領域との各範囲を決定すべく上記スライドバーをスライド可能に表示制御させる
ことを特徴とする請求項９に記載のアイコン表示プログラム。
【請求項１１】
さらに、コンピュータに、
上記表示制御部を制御して、上記操作用アイコンとして、上記第１の領域と上記第２の領域とを内部に有するリング形状部を表示させ、
上記表示制御部を制御して、当該リング形状の回転に応じて、上記画像に対する所定の画像処理の効果を設定させる
ことを特徴とする請求項９または１０に記載のアイコン表示プログラム。
【請求項１２】
さらに、コンピュータに、
タッチスライド判定部を制御して、上記表示部の表面に配置されたタッチパネルへの操作入力を判定させ、
上記表示制御部を制御して、上記タッチスライド判定制御において、上記表示部に対する所定のタッチおよびスライド操作がなされたと判定された際に、上記操作用アイコンを上記表示部に表示させる、
ことを特徴とする請求項９−１１のいずれか１項に記載のアイコン表示プログラム。
【発明の詳細な説明】
【技術分野】
【０００１】
この発明は、電子機器、アイコン表示方法およびアイコン表示用プログラムにおいて画像処理選択設定操作の操作性向上に関する技術である。
【背景技術】
【０００２】
従来、撮影光学系により結像された光学像を固体撮像素子等の光電変換素子等によって順次画像信号に変換し、これにより得られた画像信号を液晶表示装置（ＬＣＤ）等の画像表示装置を用いて順次再生表示すると共に、同画像信号を任意のタイミングで所定の形態の画像データ（静止画像データ若しくは動画像データ）に変換して記録媒体に記録し、また当該記録媒体に記録された画像データを画像として上記画像表示装置に再生表示し得るように構成されたデジタルカメラやビデオカメラ等の撮影機器が一般に実用化され、広く普及している。
【０００３】
このような形態の撮影機器においては、取得された画像信号（撮像素子の出力信号）に対して各種の信号処理を施すことによって、多様な画像出力を容易に得ることができるという特徴がある。例えば、この種の撮影機器においては、被写体を撮影するのに際して、被写体の形態や色等をできるだけ忠実に再現した二次元画像を取得するだけではなく、取得された通常画像に対して撮影者の印象や創作意図を加味して、人間が見たままのものとは異なるいわば絵画的な画像を生成し得る機能、いわゆる特殊効果フィルタ画像処理機能などとよばれる機能を有するものがある。
【０００４】
一方、従来の撮影機器においては、撮影レンズの前面に着色したガラス等の光学部材や、周縁近傍と中心部の透過率を異なるように形成したガラス（光学部材）、若しくは光学部材（ガラス）の表面に対する各種加工によって透過光に滲みを生じさせたり屈折を変更させる等のいわゆる特殊効果フィルタを配置することによって、撮影レンズを透過する光束を着色したり光量等の調整を加えることで、撮影レンズによって結像される被写体像の印象を異なるものとする撮影手法が古くから実用化されている。
【０００５】
上記の特殊効果フィルタ画像処理機能とは、取得した画像信号に対して電気的な画像処理を施すことによって、特殊効果フィルタを用いて行う従来の撮影手法により得られるような画像効果を得るという機能である。
【０００６】
従来の光学特殊効果フィルタを用いる撮影手法では、撮影操作を行う都度、撮影レンズの前面に作画意図に応じたフィルタを装着する必要がある。したがって、それらのフィルタの着脱作業に手間がかかったり、複数のフィルタを持ち運ばなければならないという問題点があり、一般の使用者が気軽に実行することのできる撮影手法であるとは言えないという問題点があった。
【０００７】
これに対し、近年普及している撮影機器では、上述したように特殊効果フィルタ画像処理機能によって、取得した画像信号に対する画像処理を施し、光学特殊効果フィルタとほぼ同等の画像効果を得ることができるようになっている。そして、さらに、近年においては、急速なデジタル画像処理技術の進展に伴って様々な画像効果を施した特殊効果画像を生成し得るようになっている。例えば撮影レンズの前面に各種の光学フイルタ（例えば色変換フイルタ，コントラスト調整フイルタ等）を配置して得られるものと同等の画像効果、特定用途の撮影レンズ（例えば魚眼レンズやアオリ機構付き撮影レンズ等）を用いて得られるものと同等の画像効果、露出調節やホワイトバランス調整，カラーバランス調整等の画像信号に対する調整を行う際の各種設定値を変更して得られる画像効果等を実現するものが、例えば特開２００５−３４７８８６号公報等によって種々提案され、また実用化されている。
【０００８】
上記特開２００５−３４７８８６号公報等によって開示されている従来の撮影機器においては、タッチパネルを備え使用者がタッチ操作を行うことで各種設定の選択設定を行う構成である。そして、この場合において、階層構造からなるメニュー形式を用いて各種設定項目の選択設定を行うようにしている。
【先行技術文献】
【特許文献】
【０００９】
【特許文献１】特開２００５−３４７８８６号公報
【発明の概要】
【発明が解決しようとする課題】
【００１０】
ところが、上記特開２００５−３４７８８６号公報等によって開示されている撮影機器におけるようなメニュー形式の操作体系では、例えば各種様々な設定を行うためには、階層構造の上層にある多数の選択項目からの選択設定に加えて、より詳細な設定のためにより深い階層の選択項目へと辿っていく必要がある等、所望の選択設定を迅速かつ確実に行うためには、メニュー階層をある程度把握しておかなければならず、直感的な切り換え操作を行うことができないという問題点があった。
【００１１】
本発明は、上述した点に鑑みてなされたものであって、その目的とするところは、撮像素子を用いて取得した画像信号に対し各種の信号処理を施して所望の画像効果を得る機能を備えた電子機器において、画像効果を得るための信号処理に関する各種の選択設定操作について、使用者が迅速確実にかつ直感的に行うことができ、よって良好な操作性を具備する電子機器、アイコン表示方法およびアイコン表示用プログラムを提供することである。
【課題を解決するための手段】
【００１２】
上記目的を達成するために、本発明の一態様の電子機器は、表示部に表示された画像に対して所定の画像処理を行わせるための操作用アイコンを表示する表示制御部を具備し、上記操作用アイコンは、上記画像内において画像処理適用領域と未適用領域とを比較するための２つの表示領域を有する。
【発明の効果】
【００１３】
本発明によれば、撮像素子を用いて取得した画像信号に対し各種の信号処理を施して所望の画像効果を得る機能を備えた電子機器において、画像効果を得るための信号処理に関する各種の選択設定操作について、使用者が迅速確実にかつ直感的に行うことができ、よって良好な操作性を具備する電子機器、アイコン表示方法およびアイコン表示用プログラムを提供することができる。
【図面の簡単な説明】
【００１４】
【図１】本発明の第１の実施形態の撮影機器の内部構成を示すブロック構成図
【図２】図１の撮影機器を手に持って構えた時のようすを示す図
【図３】図２の状態を撮影機器の背面側から見た際のようすを示す図
【図４】図３の状態において表示部にフィルタアイコンが表示されたようすを示す図
【図５】図４の状態においてフィルタアイコンを操作しているようすを示す図
【図６】図５の状態の後、フィルタアイコンを操作してフィルタ効果の設定変更をしているようすを示す図
【図７】図１の撮影機器の機器制御のメインシーケンスを示すフローチャート
【図８】本発明の第２の実施形態の撮影機器の内部構成を示すブロック構成図
【図９】図８の撮影機器を手に持って構えた時のようすを示す図（第１の実施形態の図２に相当）
【図１０】図９の状態を撮影機器の背面側から見た際のようすを示す図（第１の実施形態の図３に相当）
【図１１】図８の撮影機器の概略構成を示す概略ブロック構成図
【図１２】図１０の状態において背面表示部にフィルタアイコンが表示され、接眼表示部にライブビュー画像がなされたようすを示す図（第１の実施形態の図４に相当）
【図１３】図１２の状態においてフィルタアイコンを操作している際の背面表示部及び接眼表示部の表示状態を示す図（第１の実施形態の図５に相当）
【図１４】本発明の第２の実施形態の撮影機器において特殊効果フィルタ画像処理モード起動時にフィルタアイコンを非表示にする操作を行っているようすを示す図
【図１５】図１４の状態から再度フィルタアイコンを表示させる操作を行っているようすを示す図
【図１６】本実施形態の撮影機器の機器制御のメインフローチャート
【図１７】上記第２の実施形態の変形例であって、フィルタアイコン切換操作を行っているようすを示す図（第１フィルタアイコン「Ａｒｔ１」を表示させている状態を示す）
【図１８】上記第２の実施形態の変形例であって、フィルタアイコン切換操作を行っているようすを示す（第２フィルタアイコン「Ａｒｔ２」に表示切り換え後の状態）
【図１９】本変形例の機器制御メインシーケンスのフローチャート
【図２０】本発明の第３の実施形態の撮影機器の概略構成を示す概念図
【図２１】図２０の撮影機器を手に持って構えた時の撮影機器の背面側から見た際のようすを示す図（第１の実施形態の図３に相当する）
【図２２】図２１の状態においてフィルタアイコンを操作しているようすを示す図（第１の実施形態の図５に相当する）
【図２３】本実施形態の撮影機器の機器制御のメインフローチャート
【発明を実施するための形態】
【００１５】
以下、図示の実施の形態によって本発明を説明する。  
本発明の撮影機器は、撮影光学系により結像された光学像を固体撮像素子等の光電変換素子等によって順次画像信号に変換し、これにより得られた画像信号を液晶表示装置（ＬＣＤ）等の画像表示装置を用いて順次再生表示すると共に、同画像信号を任意のタイミングで所定の形態の画像データ（静止画像データ若しくは動画像データ）に変換して記録媒体に記録し、また当該記録媒体に記録された画像データを画像として上記画像表示装置に再生表示し得るように構成されたデジタルカメラやビデオカメラ等の撮影機器である。
【００１６】
以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１７】
また、以下に説明する各実施形態においては、撮影機器の使用時に被写体に対向する面を前面というものとする。撮影機器の使用時に使用者が対面する面を背面というものとする。操作部材のうちシャッターレリーズボタンが配設されている面を上面というものとする。撮影機器の上面に対向して設けられる面を底面というものとする。
【００１８】
［第１の実施形態］
図１は、本発明の第１の実施形態の撮影機器の内部構成を示すブロック構成図である。  
本実施形態の撮影機器１０は、画像処理制御部１１と、撮像部１２と、記録部１４と、操作判定部１５と、操作部１７と、タッチパネル１７ｂと、表示部１８と、時計部２９と、レンズリング１２ｃと、レンズ情報記憶部１２ｄ等を具備して構成されている。
【００１９】
画像処理制御部１１は、本撮影機器１０の全体及び各構成ユニットのそれぞれを統括的に制御する制御回路部と、各種の信号処理を実行する信号処理回路部とによって主に構成され、例えばマイコン等からなる回路部である。このうち、制御回路部は、撮影機器１０の各種構成ユニットから送られてくる各種制御信号を受けて、その制御信号に対応する各種の制御処理を実行すると共に、撮影機器１０の全体を統括的に制御する制御回路からなる。信号処理回路部は、撮像部１２における撮像素子１２ｂによって取得された画像信号を受けて、表示用画像信号や記録用画像データ等を生成するための各種の信号処理（例えば圧縮伸張処理等）を行う信号処理回路である。
【００２０】
画像処理制御部１１は、表示制御部１１ａと、特殊効果画像処理部１１ｂａを含む撮影制御部１１ｂと、タッチスライド判定部１１ｃと、変換部１１ｄ等を内部に具備している。
【００２１】
表示制御部１１ａは、撮像部１２の撮像素子１２ｂによって取得された画像信号に基く画像を表示部１８を用いて表示させるべく、当該表示部１８の駆動制御等、表示動作に関する制御を行う回路部である。
【００２２】
撮影制御部１１ｂは、使用者による撮影操作、例えばレンズリング１２ｃ等の操作等を受けて、撮像部１２の駆動制御等、撮影動作に関する制御を行う回路部である。この撮影制御部１１ｂには、上述したように特殊効果画像処理部１１ｂａが含まれている。
【００２３】
特殊効果画像処理部１１ｂａは、撮像部１２の撮像素子１２ｂによって取得された通常の画像信号に対して、使用者の設定に従った特殊効果フィルタ画像処理等の画像信号処理を施す回路部である。ここで、特殊効果フィルタ画像処理としては、例えば
撮影レンズの前面に各種の光学フイルタ（例えば色変換フイルタ，コントラスト調整フイルタ等）を配置した場合に得られるものと同等の画像効果、
特定用途の撮影レンズ（例えば魚眼レンズやアオリ機構付き撮影レンズ等）を用いた場合に得られるものと同等の画像効果、
露出調節やホワイトバランス調整，カラーバランス調整等の画像信号に対する調整を行う際の各種設定値を変更して得られる画像効果等、
を撮影画像信号に施すための画像信号処理である。なお、特殊効果フィルタ画像処理としては、上述した具体例のほかにも各種様々な画像処理があり、基本的には、撮影レンズの前面に各種の光学フィルタを配置した場合に得られる画像効果と同等の効果を得られるものであればよい。
【００２４】
タッチスライド判定部１１ｃは、表示部１８，タッチパネル１７ｂ，操作判定部１５等からの出力信号を受けて、表示部１８の表示画面上においてタッチ操作された位置やスライド操作の始点位置，終点位置やスライド量等を判定する制御回路である。
【００２５】
変換部１１ｄは、タッチスライド判定部１１ｃの判定結果（数値信号等）を受けて表示部１８で表示するのに適する形態、例えばアイコン表示等を行うための信号変換を行う回路部である。そのために変換部１１ｄの出力は表示制御部１１ａへと出力される。
【００２６】
撮像部１２は、撮影光学系を構成する複数の光学レンズ等からなる撮影用のレンズ１２ａと、このレンズ１２ａによって結像される対象物の被写体像を受光して光電変換を行って画像信号を生成する撮像素子１２ｂ等によって主に構成されている。撮像素子１２ｂとしては、例えばＣＣＤ（Charge Coupled Device；電荷結合素子）等の半導体素子を用いたＣＣＤイメージセンサーや、ＣＭＯＳ（Complementary Metal Oxide Semiconductor；相補性金属酸化膜半導体）等を用いたＭＯＳ型イメージセンサー等の固体撮像素子が適用される。
【００２７】
なお、本実施形態においては、撮像部１２にレンズ１２ａが含まれるものとして構成しているが、撮影光学系としてのレンズ１２ａの形態としては、撮影機器１０に一体に固定されるものでもよいし、撮影機器１０の筐体に対して着脱自在に構成されるものとしてもよい。つまり、本発明は、レンズ固定タイプの撮影機器に対しても、レンズ着脱タイプの撮影機器に対しても、全く同様に適用することができるものである。
【００２８】
表示部１８は、撮影機器１０の背面に向けて設置される表示パネルを有する画像表示装置である。表示部１８には、撮影モード時のライブビュー画像や、再生モード時の再生画像等のほか、各動作モード時には対応する各種設定メニュー等が表示される。この表示部１８に適用される画像表示装置としては、例えばＬＣＤ（Liquid Crystal Display）や有機ＥＬディスプレイ（Organic Electro-Luminescence Display）等が採用される。
【００２９】
記録部１４は、撮像素子１２ｂによって取得された画像データを所定のフォーマットで記録する補助記憶装置（データストレージ）である。ここで、画像データの所定のフォーマットとは、例えば静止画像データであればＪＰＥＧ（Joint Photographic Experts Group）形式等の圧縮画像フォーマットや、撮像素子１２ｂからの未加工のＲＡＷフォーマット等であり、動画像データであればＭＰＥＧ（Moving Picture Experts Group）形式等の圧縮動画フォーマット等である。記録部１４としては、例えばカード形状のメモリーカード(Memory card)等や、機器内部に固定した記憶装置等が適用される。
【００３０】
操作部１７は、本撮影機器１０の外面上に設けられる各種の操作部材と、これら複数の操作部材の各々に対応するスイッチ等によって構成される。操作部１７に含まれる操作部材としては、例えばシャッターボタン１７ｃや、モード切り換えダイヤル１７ｄ等のほか、レンズ１２ａを保持するレンズ鏡筒（不図示）近傍に配置されるレンズリング１２ｃ等がある（後述する図２，図３等参照）。また、表示部１８の表示画面上に設けられるタッチパネル１７ｂも操作部１７に含むものとする。
【００３１】
操作判定部１５は、上記操作部１７からの指示信号を受けて指示入力された操作の種類を判定する回路部である。操作判定部１５による判定結果に基いて、信号処理及び制御部１１における制御部は、各対応する制御を実行する。
【００３２】
時計部２９は、いわゆるリアルタイムクロック（Real-Time Clock；ＲＴＣ）と言われるコンピュータの内部時計である。時計部２９は、例えばデータファイル等の日時情報の付与を行ったり、制御処理中におけるカウンターや時間制御等において活用される。
【００３３】
レンズ情報記憶部１２ｄは、上記レンズ１２ａに固有の情報、例えば焦点距離情報，絞り情報，各収差情報等、撮影用のレンズ１２ａに関する各種の情報を予め記憶した回路部である。レンズ情報記憶部１２ｄとしては、ＲＯＭ（Read Only Memory）等の半導体メモリ等が適用される。
【００３４】
その他、本発明に直接的に関わりのない構成については、従来の一般的な構成の撮影機器に具備されるものと同様の構成ユニットが備わっているものとし、その説明及び図示は省略する。
【００３５】
このように構成された本実施形態の撮影機器１０を使用する際の作用を、図２〜図７を用いて以下に説明する。図２は本実施形態の撮影機器を手に持って構えた時のようすを示す図である。図３は図２の状態を撮影機器の背面側から見た際のようすを示す図である。図４は図３の状態において表示部にフィルタアイコンが表示されたようすを示す図である。図５は図４の状態においてフィルタアイコンを操作しているようすを示す図である。図６は図５の状態の後、フィルタアイコンを操作してフィルタ効果の設定変更をしているようすを示す図である。図７は本実施形態の撮影機器の機器制御のメインシーケンスを示すフローチャートである。
【００３６】
まず、撮影機器１０が電源オン状態にあって、例えば撮影動作を実行可能な撮影モードに設定されている状態で、使用者は撮影機器１０を両手を使って保持する。その保持の仕方は、従来の撮影機器にて行われる方法と同様である。即ち、図２に示すように、右手１２０Ｒにて撮影機器１０の正面から見て左側を保持する。このとき、右手１２０Ｒの人差し指は、図２，図３に示すように、例えばシャッターボタン１７ｃにかけられる位置にあり、また、右手１２０Ｒ親指１２０Ｒｂは、図３に示すように、撮影機器１０の背面から見て本体右側寄りの部位であって図３の符号Ａで示す領域内を含む近傍領域に自由配置される。一方、左手１２０Ｌは、図２に示すように、レンズ１２ａを保持するレンズ鏡筒を下側から掴むように保持する。
【００３７】
このとき、撮影機器１０は、上述したように電源オン状態でかつ撮影モードに設定されている。そのため、撮影機器１０の背面側の表示部１８の表示画面には、図３に示すようにいわゆるライブビュー画像が表示されている。
【００３８】
図３に示す状態において、使用者は右手１２０Ｒの親指１２０Ｒｂを、表示部１８の表示画面外の領域から表示部１８の符号Ａで示す領域内へと侵入させる。このとき右手１２０Ｒの親指１２０Ｒｂで、表示部１８に重ねて配置されているタッチパネル１７ｂの表面をスライドさせるタッチ＆スライド操作を行う。本撮影機器１０においては、この操作を行うことによって特殊効果フィルタ画像処理モードが起動する。こうして、特殊効果フィルタ画像処理モードが起動すると、図４に示すように、表示部１８の所定領域であって図３の符号Ａで示す領域に対応する部分に、操作用アイコンであるフィルタアイコン２１が表示される。
【００３９】
フィルタアイコン２１の一形態としては、例えば図４等に示すように、従来の光学フィルターを模して疑似的にデザインされた表示アイコンの形態が考えられる。即ち、図４等に示す例では、略円形状のアイコン表示であって、その円形内部の所定領域にフィルタ効果種類を表わすフィルタ名表示２１ａやフィルタ効果を適用するための上下スライドバー表示２１ｂ等が表示され、円形外周縁部にはフィルタ効果の濃淡若しくは強弱調整等、適用レベルの設定を行うためのアイコンリング表示２１ｃが表示された形態のアイコンである。また、フィルタアイコン２１の円形内部の領域について、上下スライドバー表示２１ｂを挟んで示される二つの領域があり、その一方を領域２１ｅとし、他方を領域２１ｄとする。また、上下スライドバー表示２１ｂやアイコンリング表示２１ｃ等、使用者がタッチ＆スライド操作の際に触れる部分等には、例えば刻み目等を施すといったデザイン上の工夫がなされている。これによって、使用者は、それらの部分が操作部位であることを直感的に理解でき、操作性の向上に寄与し得るという効果がある。
【００４０】
このような形態のフィルタアイコン２１は、表示部１８に表示され、このアイコン２１に対して使用者がタッチパネル１７ｂ越しにタッチ操作やスライド操作を行うと、画像処理制御部１１のタッチスライド判定部１１ｃがそれらの操作を判定し、その判定結果をうけて対応する制御がなされることになる。  
なお、フィルタアイコン２１の表示形態は、この例に限られることはなく各種様々な形態が考えられ、如何なる表示形態のものでも適用し得る。
【００４１】
図４の状態は、特殊効果フィルタ画像処理モードが起動してフィルタアイコン２１が表示された状態を示している。この状態では、予め用意された複数種類のフィルタ効果のうちの一つが選択された状態にあり、その選択されたフィルタ効果種類のフィルタ名表示２１ａが「Ａｒｔ」として表示されている。なお、この図４の状態は、未だ特殊効果フィルタ画像処理は実行されていない状態である。したがって、図４に示す撮影機器１０の表示部１８には、特殊効果フィルタ画像処理前の通常のライブビュー画像の表示がなされている。
【００４２】
図４の状態において、使用者が右手１２０Ｒの親指１２０Ｒｂにて、上下スライドバー表示２１ｂに相当する部位をタッチ操作して、そのタッチ状態を保持したまま図５に示す矢印Ｘ方向にタッチ＆スライド操作する。すると、フィルタアイコン２１の円形内部において、上下スライドバー表示２１ｂが矢印Ｘ方向に移動する。この上下スライドバー表示２１ｂの移動に伴って、表示部１８のライブビュー画像表示は表示画面の上縁部から下縁部へ向けて特殊効果フィルタ画像処理済みの表示に切り換わる。
【００４３】
つまり、上下スライドバー表示２１ｂの矢印Ｘ方向への移動に伴って、フィルタアイコン２１の円形内部領域の一方の領域２１ｅの面積は徐々に増加し、他方の領域２１ｄの面積は徐々に減少するような表示形態となっている。この場合において、一方の領域２１ｅの面積は特殊効果フィルタ画像処理が適用された領域を示し、他方の領域２１ｄの面積は同画像処理の未適用領域を示している。したがって、一方の領域２１ｅと他方の領域２１ｄの面積の変位は、表示部１８のライブビュー画像表示に対する特殊効果フィルタ画像処理の進行状態に対応している。
【００４４】
上下スライドバー表示２１ｂを最終的に図６に示すように、フィルタアイコン２１の円形内部領域の最下端部まで移動させると、同上下スライドバー表示２１ｂは、その場に固定され、同時に表示部１８のライブビュー画像表示も全領域に亘って特殊効果フィルタ画像処理適用済みの表示となる。この状態において、フィルタアイコン２１のアイコンリング表示２１ｃをタッチ操作して、そのタッチ状態を保持したまま図６に示す矢印Ｒ方向にタッチ＆スライド操作する。これによりフィルタ効果の濃淡若しくは強弱調整等を行うことができる。この場合において、アイコンリング表示２１ｃを図６の矢印Ｒ方向にタッチ＆スライド操作に連動させて、円形内部領域のうちの一方の領域２１ｅ、即ち特殊効果フィルタ画像処理適用済み領域の表示を、例えば濃淡，明暗等を変化させる表示とし、同時にライブビュー画像表示も、対応するフィルタ効果の濃淡，強弱が反映する表示としている。またここで、アイコンリング表示２１ｃの回転方向（図６の矢印Ｒ方向）へのタッチ＆スライド操作の代わりに、レンズリング１２ｃを回転させることで、同様にフィルタ効果の濃淡若しくは強弱調整等を行うようにしてもよい。
【００４５】
こうして特殊効果フィルタ画像処理の設定を決定したら、通常の撮影動作の通り、シャターボタン１７ｃを押圧操作することによりレリーズ操作、若しくはタッチパネル１７ｂのタッチ操作によるレリーズ操作を行うことによって撮影動作を実行する。これによって、設定されている撮影動作モードが静止画撮影モードであれば静止画像の撮影が行われ、設定されている撮影動作モードが動画撮影モードであれば動画像の撮影が開始される。そして、再度のレリーズ操作を受けて動画像撮影は終了する。
【００４６】
このように本実施形態においては、特殊効果フィルタ画像処理モードが起動された時には、表示部１８にフィルタアイコン２１を表示させ、このフィルタアイコン２１に対するタッチ＆スライド操作によってフィルタ効果の適用操作や、その設定等を行うようにしている。これら一連の操作は、従来の撮影機器においてレンズ前面に光学フィルタを配置する作業等に似せた疑似的な操作としている。そして、フィルタアイコン２１の形態を工夫することによって、使用者が直感的に操作し得る操作体系を意識した構成としている。
【００４７】
次に、本実施形態の撮影機器１０の機器制御メインシーケンスを図７のフローチャートに従って説明する。  
まず、撮影機器１０の電源がオン状態にされると、信号処理及び制御部１１は、機器全体の初期化処理を行う。この初期化処理は、従来の撮影機器において一般的に行われる処理と同様の処理であり、その詳細説明は省略する。そして、上記初期化処理が終了すると、本撮影機器１０の信号処理及び制御部１１は、図７の処理シーケンスを実行する。
【００４８】
ステップＳ１０１において、信号処理及び制御部１１は、操作判定部１５を監視して現在設定されている動作モードが撮影モードに設定されているか否かの確認を行う。ここで、撮影モードに設定されていることが確認されると、次のステップＳ１０２の処理に進む。また、撮影モード以外の動作モードが設定されていることが確認されると、ステップＳ２１１の処理に進む。
【００４９】
ステップＳ１０２において、信号処理及び制御部１１は、撮像部１２，表示部１８を制御して、撮像部１２によって取得された画像データに基く画像を順次表示するライブビュー画像表示処理を実行する。
【００５０】
また、ここで、使用者が右手１２０Ｒ親指１２０Ｒｂを表示部１８の表示画面外の領域から表示部１８の符号Ａで示す領域内へと侵入させるタッチ＆スライド操作（図３，図４で説明した操作）を行うと、信号処理及び制御部１１のタッチスライド判定部１１ｃはタッチパネル１７ｂからの入力信号を受けて特殊効果フィルタ画像処理モードを起動させる。これに伴って、信号処理及び制御部１１の表示制御部１１ａは、表示部１８を制御してフィルタアイコン２１を表示させる。その後、ステップＳ１０３の処理に進む。
【００５１】
ステップＳ１０３において、信号処理及び制御部１１は、既に特殊効果フィルタ画像処理が適用済みであるか否かの確認を行う。ここで、特殊効果フィルタ画像処理が適用済みであることが確認された場合には、ステップＳ１０４の処理に進む。
【００５２】
ステップＳ１０４において、信号処理及び制御部１１は、タッチスライド判定部１１ｃからの信号を監視し、フィルタアイコン２１の上下スライドバー表示２１ｂが上方へスライド操作されたか否かの確認を行う。この場合において、上下スライドバー表示２１ｂの上方へのスライド操作は、特殊効果フィルタ画像処理の適用を解除するための操作である。ここで、上下スライドバー表示２１ｂの上方へのスライド操作が確認された場合には、ステップＳ１０５の処理に進み、ステップＳ１０５において、信号処理及び制御部１１の撮影制御部１１ｂの特殊効果画像処理部１１ｂａは、適用済みの特殊効果フィルタ画像処理を解除する。これにより表示部１８に表示中のライブビュー画像表示は通常のライブビュー表示に戻る。その後、ステップＳ１１１の処理に進む。  
また、上述のステップＳ１０４の処理にて、上下スライドバー表示２１ｂの上方へのスライド操作が確認されない場合には、ステップＳ１０８の処理に進む。
【００５３】
一方、上述のステップＳ１０３の処理にて、未だ特殊効果フィルタ画像処理が適用されていないことが確認された場合には、ステップＳ１０６の処理に進む。  
ステップＳ１０６において、信号処理及び制御部１１は、タッチスライド判定部１１ｃからの信号を監視し、フィルタアイコン２１の上下スライドバー表示２１ｂが下方へスライド操作されたか否かの確認を行う。この場合において、上下スライドバー表示２１ｂの下方へのスライド操作は、上述したように、特殊効果フィルタ画像処理を適用するための操作である。ここで、上下スライドバー表示２１ｂの下方へのスライド操作が確認された場合には、ステップＳ１０７の処理に進み、ステップＳ１０７において、信号処理及び制御部１１の撮影制御部１１ｂの特殊効果画像処理部１１ｂａは、選択設定されている種類の特殊効果フィルタ画像処理を適用する。これにより表示部１８に表示中の通常のライブビュー画像は対応する特殊効果フィルタ画像処理済みのライブビュー画像に切り換わる。その後、ステップＳ１０８の処理に進む。  
また、上述のステップＳ１０６において、上下スライドバー表示２１ｂの下方へのスライド操作が確認されない場合には、ステップＳ１１１の処理に進む。
【００５４】
次に、ステップＳ１０８において、信号処理及び制御部１１は、タッチスライド判定部１１ｃ及び操作判定部１５を監視して、アイコンリング表示２１ｃの回転スライド操作若しくはレンズリング１２ｃの回転操作がなされたか否かの確認を行う。これらの操作は、上述したように、フィルタ効果の濃淡若しくは強弱調整等のための操作である。ここで、アイコンリング表示２１ｃ若しくはレンズリング１２ｃの回転操作が確認された場合には、次のステップＳ１０９の処理に進む。また、アイコンリング表示２１ｃ若しくはレンズリング１２ｃの回転操作が確認されない場合には、フィルタ効果の濃淡若しくは強弱調整等の設定が既に確定されているものとして、ステップＳ１１１の処理に進む。
【００５５】
ステップＳ１０９において、信号処理及び制御部１１は、タッチスライド判定部１１ｃ及び操作判定部１５からの出力信号に基いてアイコンリング表示２１ｃ若しくはレンズリング１２ｃの回転量、即ちフィルタ効果の濃淡若しくは強弱調整量を切り換え制御し、フィルタ効果の濃淡若しくは強弱調整等の設定を確定する。その後、ステップＳ１１１の処理に進む。
【００５６】
次に、ステップＳ１１１において、信号処理及び制御部１１は、操作判定部１５若しくはタッチスライド判定部１１ｃ等からの信号を監視して、静止画像の撮影動作を開始するレリーズ信号が発生したか否かの確認を行う。ここで、静止画像撮影のためのレリーズ信号が確認された場合には、次のステップＳ１１２の処理に進む。また、静止画像撮影のためのレリーズ信号が確認されない場合には、ステップＳ１２１の処理に進む。
【００５７】
ステップＳ１１２において、信号処理及び制御部１１は、撮影制御部１１ｂを介して撮像部１２を制御し、同時に表示制御部１１ａを介して表示部１８を制御して、通常の静止画撮影動作を実行する。その後、ステップＳ１２１の処理に進む。
【００５８】
ステップＳ１２１において、信号処理及び制御部１１は、操作判定部１５若しくはタッチスライド判定部１１ｃ等からの信号を監視して、動画の撮影動作を開始するレリーズ信号が発生したか否かの確認を行う。ここで、動画撮影のためのレリーズ信号が確認された場合には、次のステップＳ１２２の処理に進む。また、動画撮影のためのレリーズ信号が確認されない場合には、上述のステップＳ１０１の処理に戻り、以降の処理を繰り返す。
【００５９】
ステップＳ１２２において、信号処理及び制御部１１は、撮影制御部１１ｂを介して撮像部１２を制御し、同時に表示制御部１１ａを介して表示部１８を制御して、通常の動画撮影動作を実行する。その後、ステップＳ１２３の処理に進む。
【００６０】
ステップＳ１２３において、信号処理及び制御部１１は、操作判定部１５若しくはタッチスライド判定部１１ｃ等からの信号を監視して、動画撮影動作の終了信号が発生したか否かの確認を行う。ここで、動画撮影終了信号が確認された場合には、次のステップＳ１２４の処理に進む。また、動画撮影終了信号が確認されない場合には、上述のステップＳ１０２の処理に戻り、以降の処理を繰り返す。
【００６１】
ステップＳ１２４において、信号処理及び制御部１１は、撮影制御部１１ｂを介して撮像部１２を制御し、同時に表示制御部１１ａを介して表示部１８を制御して動画撮影動作の終了処理を実行する。そして、上述のステップＳ１１２の処理にて取得された静止画像データ若しくは上述のステップＳ１２２〜Ｓ１２３の処理にて取得された動画像データの記録部１４への記録動作を実行する。その後、ステップＳ１０１の処理に戻り、以降の処理を繰り返す。
【００６２】
一方、上述のステップＳ１０１の処理にて、撮影モード以外の動作モードが設定されていることが確認されてステップＳ２１１の処理に進むと、このステップＳ２１１において、信号処理及び制御部１１は、操作判定部１５を監視して現在設定されている動作モードが再生モードに設定されているか否かの確認を行う。ここで、再生モードに設定されていることが確認されると、次のステップＳ２１２の処理に進む。また、再生モードが設定されていない場合には、上述のステップＳ１０１の処理に戻り、以降の処理を繰り返す。
【００６３】
ステップＳ２１２において、信号処理及び制御部１１は、表示部１８，記録部１４等を駆動制御して通常の画像再生処理を開始する。ここでは、まず、記録部１４に記録済みの複数の画像データのサムネイル画像を読み込んで、表示部１８にファイル一覧表示処理を行う。その後、ステップＳ２１３の処理に進む。
【００６４】
続いて、ステップＳ２１３において、信号処理及び制御部１１は、操作判定部１５を監視して再生を所望する画像ファイルについての選択操作に伴う指示信号が発生したか否かの確認を行う。ここで、ファイル選択指示信号が確認されると、次のステップＳ２１４の処理に進む。また、ファイル選択指示信号が確認されない場合には、ステップＳ２１６の処理に進み、このステップＳ２１６において、信号処理及び制御部１１は、操作判定部１５を監視して再生動作を終了する旨の終了指示信号が発生したか否かの確認を行う。ここで、終了指示信号が確認されると、上述のステップＳ１０１の処理に戻り、以降の処理を繰り返す。また、終了指示信号が確認されない場合には、上述のステップＳ２１２の処理に戻り、以降の処理を繰り返す。
【００６５】
上述のステップＳ２１３の処理にて、ファイル選択指示信号が確認されてステップＳ２１４の処理に進むと、このステップＳ２１４において、信号処理及び制御部１１は、選択指示信号に従って対応する選択画像ファイルを記録部１４より読み出して、これを表示部１８を用いて再生表示する制御を行う。
【００６６】
続いて、ステップＳ２１５において、信号処理及び制御部１１は、操作判定部１５を監視して再生表示中の画像再生処理を終了する旨の再生終了指示信号が発生したか否かの確認を行う。ここで、再生終了指示信号が確認されると、上述のステップＳ２１２の処理に戻り、以降の処理を繰り返す。なお、この処理ステップでは、再生終了指示信号が確認されるまで画像再生処理を継続して行う。
【００６７】
以上説明したように上記第１の実施形態によれば、特殊効果フィルタ画像処理モードを起動した時、表示部１８にフィルタアイコン２１を表示させ、このフィルタアイコン２１に対するタッチ＆スライド操作によってフィルタ効果の適用操作や、その設定等を行うようにしている。これら一連の操作は、従来の撮影機器においてレンズ前面に光学フィルタを配置する作業等に似せた疑似的な操作としているので、使用者は直感的に操作することができる。また、特殊効果フィルタ画像処理モードを起動しての撮影では、各種操作を直感的で簡単な操作を行うのみでよいので、撮影に専念することができ、アイコンに対するタッチ＆スライド操作の操作量も少なくて済むので、機器を保持する手の一部（親指一本）で操作できることから、例えば手ぶれ等を抑えることができ、さらに迅速に操作を行うことができると共に、操作結果の確認や操作設定等の確認を容易に行うことができる。
【００６８】
［第２の実施形態］
次に、本発明の第２の実施形態の撮影機器について、図８〜図１６を用いて以下に説明する。図８は本発明の第２の実施形態の撮影機器の内部構成を示すブロック構成図である。
【００６９】
本実施形態の基本的な構成は、上述の第１の実施形態と略同様である。即ち、本実施形態の撮影機器１０Ａは、表示系の構成ブロックとして上述の第１の実施形態における表示部１８に相当する背面表示部１８のほかに、ファインダー形態からなる接眼表示部１９及び接眼レンズ１９ｂ（図１１参照）を具備している点が異なる。
【００７０】
接眼表示部１９は、いわゆる電子ビューファインダー（ＥＶＦ：Electronic View Finder）である。接眼表示部１９は、具体的には例えば小型のＬＣＤ若しくは有機ＥＬディスプレイ等が適用される。この接眼表示部１９には、上述の第１の実施形態における表示部１８（本実施形態においては背面表示部１８）に表示される各種の画像、即ちライブビュー画像（撮影モード時），再生画像（再生モード時）等のほかに各種設定メニュー表示（撮影モード時及び再生モード時）を行ったり、特殊効果フィルタ画像処理モード時におけるフィルタアイコン２１等が、上記表示部１８と全く同様に表示され得る。なお、接眼表示部１９と背面表示部１８とは、いずれか一方が択一的に動作する。また、接眼表示部１９及び背面表示部１８は、いずれも表示制御部１１ａによって駆動制御される。
【００７１】
また、本実施形態の撮影機器１０Ａにおいては、この接眼表示部１９を配設したことに伴って、撮影機器１０Ａの背面側であって接眼表示部１９の接眼部近傍にアイセンサ１６が配設されている。このアイセンサ１６は、使用者が接眼レンズ１９ｂを介して接眼表示部１９の表示を観察する姿勢、つまり接眼レンズ１９ｂを覗き込むべく使用者の顔を撮影機器１０Ａの背面に近付けたことを検出することで、接眼表示部１９を使用している状態を判定するセンサである。その他の構成は上述の第１の実施形態と全く同様である。したがって、それらの構成部材については同じ符号を附して詳細説明は省略する。
【００７２】
このように構成された本実施形態の撮影機器１０Ａを使用する際の作用を、図９〜図１６を用いて以下に説明する。  
図９は本実施形態の撮影機器を手に持って構えた時のようすを示す図である（第１の実施形態の図２に相当する）。図１０は図９の状態を撮影機器の背面側から見た際のようすを示す図である（第１の実施形態の図３に相当する）。図１１は本実施形態の撮影機器の概略構成を示す概略ブロック構成図である。図１２は図１０の状態において背面表示部にフィルタアイコンが表示され、接眼表示部にライブビュー画像がなされたようすを示す図である（第１の実施形態の図４に相当する）。図１３は図１２の状態においてフィルタアイコンを操作している際の背面表示部及び接眼表示部の表示状態を示す図である（第１の実施形態の図５に相当する）。図１４は本実施形態の撮影機器において特殊効果フィルタ画像処理モード起動時にフィルタアイコンを非表示にする操作を行っているようすを示す図である。図１５は図１４の状態から再度フィルタアイコンを表示させる操作を行っているようすを示す図である。図１６は本実施形態の撮影機器の機器制御のメインフローチャートである。
【００７３】
本実施形態の撮影機器１０Ａを用いて撮影動作を行うのに際しては、上述の第１の実施形態（図２参照）と同様に、使用者は撮影機器１０を両手によって保持する（図９参照）。そして、接眼表示部１９を使用する場合には、使用者は図１１に示すように接眼レンズ１９ｂの近傍に顔を配置させて眼１０１でもって接眼レンズ１９ｂの配設されている接眼部を覗き込むことによって接眼表示部１９の表示画面を観察し得る。
【００７４】
このとき、接眼表示部１９の表示画面には、図１２の符号１９ａに示されるようなライブビュー画像が表示されている。また、図１０に示す状態において、使用者が右手１２０Ｒの親指１２０Ｒｂを、背面表示部１８の表示画面外の領域から背面表示部１８の符号Ａで示す領域内へと侵入させるタッチ＆スライド操作を行うと特殊効果フィルタ画像処理モードが起動する。これにより、背面表示部１８の所定領域には図１０，図１２に示すようなフィルタアイコン２１のみが表示される。なお、本実施形態におけるフィルタアイコン２１の表示形態は、上述の第１の実施形態と同様としている。
【００７５】
なお、図１２の状態は、未だ特殊効果フィルタ画像処理は実行されていない状態である。したがって、図１２に示す状態では、撮影機器１０Ａの接眼表示部１９の表示画面１９ａには、特殊効果フィルタ画像処理前の通常のライブビュー画像の表示がなされている。
【００７６】
そして、上述の第１の実施形態と同様に、図１２の状態において、使用者が右手１２０Ｒの親指１２０Ｒｂにて、上下スライドバー表示２１ｂを図１３に示す矢印Ｘ方向にタッチ＆スライド操作する。これにより、フィルタアイコン２１の円形内部において、上下スライドバー表示２１ｂが矢印Ｘ方向に移動し、この上下スライドバー表示２１ｂの移動に伴って、接眼表示部１９の表示画面１９ａのライブビュー画像表示は特殊効果フィルタ画像処理済みの表示に切り換わる（図１３参照）。したがって、上下スライドバー表示２１ｂを矢印Ｘ方向に移動させるとき、特殊効果フィルタ画像処理の適用済み領域と未適用領域とを一望することができるので、一画像内において画像処理適用領域と未適用領域とを比較することができる。
また、スライド量に応じて、適用済み領域と未適用領域の面積割合を変更することができる。つまり、上下スライドバー２１ｂを全移動量の半分だけスライドさせると、全画面のうちの上側半分の領域にフィルタ画像処理効果を適用させることができる。このように、フィルタアイコン２１の上下スライドバー２１ｂの操作量と、表示部に表示されるライブビュー画像に反映させる画処理範領域とは比例するように設定している。
また、フィルタアイコン２１の操作量としては、親指のみによって操作し得る程度としながら、その操作によって表示部の表示画像に反映される領域は、最終的に画面全体である。したがって、少ない操作量によって、特殊効果フィルタ画像処理を適用する撮影を迅速に行い得ると共に、当該画像処理モード時における各種設定等の切り換え操作等も同じアイコンフィルター２１を用いるようにしたので、より迅速な操作性を実現できる。さらに、親指の表示画面内への侵入でモード切り換えを可能としたので、親指の僅かな動きのみでモード切り換え操作を行い得る。また、このことは、撮影機器１を保持している手指を他の操作のために転用することになるが、機器の保持を離れた親指による操作量は、極めて小さくてよく、よって撮影動作時の機器を保持する際に生じる可能性のあるいわゆる手ぶれ等、機器が揺れたり動いてしまうことによる画質劣化を抑えることができる。
【００７７】
また、本実施形態においても、特殊効果フィルタ画像処理の適用を完了した状態では、アイコンリング表示２１ｃの回転方向へのタッチ＆スライド操作によって、フィルタ効果の濃淡若しくは強弱調整等を行うことができるのは、上述の第１の実施形態と同様である。また、アイコンリング表示２１ｃの回転方向へのタッチ＆スライド操作の代わりに、レンズリング１２ｃを回転させることで、フィルタ効果の濃淡若しくは強弱調整等を行うようにしてもよいのも、上述の第１の実施形態と同様である。
【００７８】
さらに、本実施形態においても、接眼表示部１９を使用せずに背面表示部１８のみを用いて撮影動作を行なうことができる。その場合の作用は、上述の第１の実施形態と全く同様である。  
一方、本実施形態においては、接眼表示部１９と背面表示部１８とを択一的に用いて撮影動作等を行うように構成しているが、これに限られることはない。例えば、接眼表示部１９を用いてライブビュー画像表示を行っているときに、特殊効果フィルタ画像処理モードを起動させると、上述したように、背面表示部１８にはフィルタアイコン２１が表示されるようにしている（図１２参照）。このとき、接眼表示部１９に加えて、背面表示部１８にもライブビュー画像表示を行なうようにしてもよい。そして、フィルタアイコン２１の上下スライドド操作によって特殊効果フィルタ画像処理の適用を開始すると、接眼表示部１９と背面表示部１８とのうち一方には通常のライブビュー画像を表示させ、他方には特殊効果フィルタ画像処理済みのライブビュー画像を表示させるようにする。このような構成とすれば、画像処理効果の適用前後の画像を、２つの表示部のそれぞれに表示させることができるので、適用前後の画像を比較することができる。
【００７９】
フィルタアイコン２１の表示は、特殊効果フィルタ画像処理モードが起動している間は常時表示させるようにする形態のほかに、特殊効果フィルタ画像処理モードが起動している間においては、使用者の右手親指１２０Ｒｂが背面表示部１８の所定領域（図３の符号Ａで示す領域を参照）内にあるときにのみフィルタアイコン２１を表示させる形態としてもよい。
【００８０】
例えば、フィルタアイコン２１を常時表示させておけば、使用者は特殊効果フィルタ画像処理モードが起動していることを常に認識し得る。その一方で、フィルタアイコン２１を常時表示させていると、ライブビュー表示画面の一部が隠されてしまうので、例えば構図決定等を行う際に支障が生じる可能性もある。そこで、フィルタアイコン２１を適宜所望の時に非表示状態にすることができれば、特殊効果フィルタ画像処理モードの起動時であってもライブビュー表示画面全体を表示させる状態を現出させることができるので、構図決定等を支障無く行うことができるという利点がある。
【００８１】
さらに、本実施形態の撮影機器１０Ａにおいては、使用者の右手親指１２０Ｒｂが背面表示部１８の所定領域（図３の符号Ａで示す領域を参照）内にあるときにのみフィルタアイコン２１を表示させて特殊効果フィルタ画像処理モードを起動させる一方、右手親指１２０Ｒｂが当該所定領域外に移動するスライド操作が検出された場合には、特殊効果フィルタ画像処理モードを解除すると共に、フィルタアイコン２１を消去して代わりに、例えば図１４に示すような通常の撮影設定用アイコン（以下、通常アイコンと略記する）３１、即ち閃光発光設定，マクロ撮影設定，露出補正設定等に対応する設定用のアイコンを表示させ、タッチ操作若しくはタッチ＆スライド操作によって適宜設定変更を行い得るように制御してもよい（図１４参照）。
【００８２】
そして、そのような設定変更操作が終わったら、右手親指１２０Ｒｂを上記所定領域内へとスライド操作でいつでも移動させれば、即座にフィルタアイコン２１を表示させ特殊効果フィルタ画像処理モードが起動する（図１５参照）。
【００８３】
このように本実施形態においては、接眼表示部１９を用いてライブビュー画像を観察しながら撮影動作を実行する場合において、特殊効果フィルタ画像処理モードを起動したときには、背面表示部１８を用いてフィルタアイコン２１を表示させるようにしている。この場合、背面表示部１８のフィルタアイコン２１のタッチ＆スライド操作は、接眼表示部１９を覗きながら支障無く行うことができる。これと同時に、接眼表示部１９のファインダ画像（ライブビュー画像）上にはフィルタアイコン２１が表示されないので、ファインダ画像を観察しながら行う構図決定等に専念することができる。
【００８４】
また、背面表示部１８のみを用いて撮影動作を実行する場合（上述の第１の実施形態も含む）において、特殊効果フィルタ画像処理モードを起動したとき、背面表示部１８のフィルタアイコン２１を適宜非表示状態とする制御を行うことによって、背面表示部１８を観察しながらの構図決定も支障無く行なうことができる。
【００８５】
次に、本実施形態の撮影機器１０Ａの機器制御メインシーケンスを図１６のフローチャートに従って説明する。本実施形態の撮影機器１０Ａにおける機器制御メインシーケンスは、上述の第１の実施形態のメインシーケンス（図７）と略同様である。したがって、本実施形態においては、上述の第１の実施形態における同じ処理ステップは同じステップ番号を附して説明を省略し、異なる処理ステップのみを以下に詳述する。
【００８６】
ステップＳ１０１において、信号処理及び制御部１１は、操作判定部１５を監視して現在設定されている動作モードが撮影モードに設定されているか否かの確認を行う。このステップＳ１０１の処理は、上述の第１の実施形態（図７）と同様である。
【００８７】
ステップＳ１０１の処理にて、撮影モード以外に設定されていることが確認された場合には、ステップＳ２１１の処理に進む。このステップＳ２１１の処理以降、ステップＳ２１６の処理までは、上述の第１の実施形態と全く同様である（図７）。
【００８８】
一方、ステップＳ１０１の処理にて、撮影モードに設定されていることが確認された場合には、ステップＳ１０２Ａの処理に進む。  
ステップＳ１０２Ａにおいて、信号処理及び制御部１１は、撮像部１２，背面表示部１８若しくは接眼表示部１９を制御して、撮像部１２によって取得された画像データに基く画像を順次表示するライブビュー画像表示処理を実行する。これと同時に、背面表示部１８の所定領域に上記通常アイコン３１（図１４参照）を表示させる。その後、ステップＳ１０３の処理に進む。このステップＳ１０３の処理は、上述の第１の実施形態と同様である（図７）。
【００８９】
そして、ステップＳ１０３の処理にて、未だ特殊効果フィルタ画像処理が適用されていないことが確認された場合には、ステップＳ１０３Ａの処理に進む。
【００９０】
ステップＳ１０３Ａにおいて、信号処理及び制御部１１のタッチスライド判定部１１ｃは、画面外右側から画面内に向けてのスライド操作がなされたか否かの確認を行う。ここで、当該スライド操作が確認された場合には、ステップＳ１０３Ｂの処理に進む。また、当該スライド操作が確認されない場合には、ステップＳ１０３Ｃの処理に進む。
【００９１】
ステップＳ１０３Ｂにおいて、信号処理及び制御部１１は、背面表示部１８等を制御して、背面表示部１８に表示中の通常アイコン３１の表示を消去すると同時に、フィルタアイコン２１を所定領域に表示させる。その後、ステップＳ１０６の処理に進む。
【００９２】
一方、ステップＳ１０３Ｃにおいて、信号処理及び制御部１１のタッチスライド判定部１１ｃは、タッチパネル１７ｂへのタッチ操作がなされたか否かの確認を行う。ここで、タッチ操作が確認された場合には、タッチ位置の判定を行った後、ステップＳ１０３Ｄの処理に進む。また、タッチ操作が確認されない場合には、ステップＳ１１１の処理に進む。なお、ステップＳ１１１の処理以降、ステップＳ１１２，Ｓ１２１〜Ｓ１２４の各処理は、上述の第１の実施形態と同様である（図７）。
【００９３】
ステップＳ１０３Ｄにおいて、信号処理及び制御部１１は、上述のステップＳ１０３Ｃの判定結果に基いて、タッチ位置に応じた制御を実行する。つまり、上述のステップＳ１０３Ｃの処理の時点で行われるタッチ操作は、背面表示部１８に複数表示されている通常アイコン３１に対するタッチ操作である。したがって、このステップＳ１０３Ｄにおいては、、複数の通常アイコン３１のうちから使用者がタッチ操作によって選択指示した特定アイコンに対応する制御処理を実行する。なお、ここで例示する通常アイコン３１は上述した閃光発光設定，マクロ撮影設定，露出補正設定等であるが、これらに対応する個々の制御処理サブルーチンの詳細は図示せず、従来の撮影機器における一般的な処理と同様であるものとして、その説明は省略する。その後、ステップＳ１１１の処理に進む（以降、上述の第１の実施形態と同様。図７）。
【００９４】
次に、ステップＳ１０６において、信号処理及び制御部１１は、タッチスライド判定部１１ｃを介して上下スライドバー表示２１ｂの下方へのスライド操作が確認されない場合には、ステップＳ１０６Ａの処理に進む。  
ステップＳ１０６Ａにおいて、信号処理及び制御部１１のタッチスライド判定部１１ｃは、背面表示部１８の所定領域内から画面外方向へ向けてのスライド操作がなされたか否かの確認を行う。ここで、当該スライド操作が確認された場合には、ステップＳ１０６Ｂの処理に進む。また、当該スライド操作が確認されない場合には、ステップＳ１０６の処理に戻り、以降同様の処理を繰り返す。
【００９５】
ステップＳ１０６Ｂにおいて、信号処理及び制御部１１は、背面表示部１８等を制御して、背面表示部１８に表示中のフィルタアイコン２１の表示を消去すると同時に、通常アイコン３１を所定領域に表示させる。その後、ステップＳ１１１の処理に進む。以降の処理は、上述の第１の実施形態と同様である。
【００９６】
以上説明したように本発明の第２の実施形態によれば、上述の第１の実施形態と同様の効果を得ることができる。これに加えて、本実施形態によれば、接眼表示部１９を用いてライブビュー画像を観察しながら撮影動作を実行する場合において、特殊効果フィルタ画像処理モードを起動したときには、背面表示部１８を用いてフィルタアイコン２１を表示させるようにしている。したがって、接眼表示部１９を覗きながらでも、背面表示部１８のフィルタアイコン２１のタッチ＆スライド操作を支障無く行うことができる。これと同時に、接眼表示部１９のファインダ画像（ライブビュー画像）上にはフィルタアイコン２１が表示されないので、接眼表示部１９のファインダ画像を観察しながら行う構図決定等に専念でき支障無く行なうことができる。
【００９７】
また、タッチスライド判定部１１ｃによって使用者の右手親指１２０Ｒｂによるタッチ＆スライド操作を常に監視し、背面表示部１８の所定領域（符号Ａで示す領域）内に対する使用者の右手親指１２０Ｒｂによる特定のスライド操作を判定したときにフィルタアイコン２１を表示させたり通常アイコン３１を表示させるような制御を行う。
【００９８】
これにより、背面表示部１８のみを用いて撮影動作を実行する場合（上述の第１の実施形態も含む）において、特殊効果フィルタ画像処理モードを起動したときには、背面表示部１８のフィルタアイコン２１を適宜非表示状態とすることができるので、背面表示部１８を観察しながらの構図決定も支障無く行なうことができる。
【００９９】
なお、上述の第１，第２の実施形態においては、フィルタアイコン２１のアイコンリング表示２１ｃを、フィルタ効果の濃淡若しくは強弱調整等を行うための操作部としているが、これに限らず例えばフィルタ効果種類の切り換えを行うための操作部として利用してもよい。この場合には、フィルタ効果の濃淡若しくは強弱調整等の操作は別の操作部材を用いて、若しくはメニュー設定画面にて好みの設定値を予め固定値として設定するようにしておくようにすればよい。また、他の手段としては、フィルタ効果の濃淡若しくは強弱調整等を行うための調整スライドバー形式の操作アイコン等を表示部１８の所定の領域、例えば画面下端縁部近傍等に表示させ、使用者がタッチ＆スライド操作を行うという手段もある。
【０１００】
［変形例］
また、フィルタ効果種類の切り換えを行うための操作部手段としては、上記のアイコンリング表示２１ｃ等を用いるほか、次に示すような変形例が考えられる。  
図１７〜図１９は、本実施形態の撮影機器１０Ａにおいてフィルタアイコンに関する変形例を示す図である。このうち、図１７，図１８はフィルタアイコン切換操作を行っているようすを示す図であって、図１７は第１フィルタアイコン「Ａｒｔ１」を表示させている状態を示し、図１８は図１７の状態からタッチ＆スライド操作によって第２フィルタアイコン「Ａｒｔ２」に切り換え表示した状態を示している。
【０１０１】
本変形例が適用される撮影機器１０Ａは、上述の第２の実施形態と略同様の構成からなる。したがって、同様の構成については同じ符号を附して、その説明を省略し、異なる部分のみを以下に詳述する。
【０１０２】
本変形例を適用した撮影機器１０Ａにおいては、上述の第２の実施形態にて説明した手段によって特殊効果フィルタ画像処理モードを起動させると、背面表示部１８にフィルタアイコン２１が表示されるのは同様である。なお、図１７に示す状態では、第１フィルタアイコン「Ａｒｔ１」２１Ａが表示されているものとする。
【０１０３】
また、本変形例においては、この状態とした時、背面表示部１８の表示画面中のフィルタアイコン２１の近傍であって、例えば右手親指１２０Ｒｂにてタッチ＆スライド操作をし得る範囲内の所定の部位にスライドガイド表示アイコン２２が表示される点が異なる（図１７参照）。
【０１０４】
図１７に示す状態にて、使用者が例えば右手親指１２０Ｒｂをタッチパネル１７ｂへのタッチ状態とした上でスライドガイド表示アイコン２２に沿って図１７の矢印Ｄ方向にスライド操作する。すると、この操作を受けて、表示中の第１フィルタアイコン「Ａｒｔ１」２１Ａはスライドガイド表示アイコン２２に沿うように図１７の矢印Ｄ方向に移動表示される。このときのフィルタアイコン２１Ａの移動は、図１７に仮想的に示す仮想円板２３が図１７の回転軸中心Ｂを中心として矢印Ｒ方向に回転した場合に辿る軌跡に一致するように設定される。そして、図１８に示すように、次の種類の第２フィルタアイコン「Ａｒｔ２」２１Ｂが背面表示部１８の所定の位置に表示される。このようにして、フィルタアイコン２１Ａをフィルタアイコン２１Ｂの表示に切り換えることによって、設定すべき所望のフィルタ種類へと切り換えることができる。
【０１０５】
即ち、本変形例においては、複数のフィルタ種類を表わすアイコンが多数用意されており、それら複数のフィルタ種類を示すアイコンは上記のタッチ＆スライド操作を行うことによって次々と切り換わり、背面表示部１８の所定領域に表示される。このような表示切り換えは、例えば図１７，図１８に示すように、仮想円板２３を図に示す回動軸中心Ｂを中心に矢印Ｒ方向に回転した場合と同様のイメージである。したがって、以降、同様にして操作すれば、特殊効果フィルタ種類の切り換え設定をタッチパネル１７ｂのタッチ＆スライド操作のみによって容易にかつ直感的な操作によって行なうことができる。
【０１０６】
なお、上述のようなフィルタ種類の切り換え操作が行われた場合には、表示中のフィルタアイコン２１の表示が連続的に徐々に移動して上述の仮想円板２３が回転するような表示形態が自然である。そして、そのような表示によって、上述の仮想円板２３の円周上に並べて配置した複数のフィルタアイコン（２１Ａ，２１Ｂ，２１Ｃ，２１Ｄ…等）が上記仮想円板２３の回転に従って移動し、背面表示部１８の所定領域に順次出現するような表示形態となる。
【０１０７】
このように構成した本変形例を適用した撮影機器１０Ａの機器制御メインシーケンスを説明する。図１９は、本変形例の機器制御メインシーケンスのフローチャートである。なお、本変形例の機器制御メインシーケンスは、上述の第２の実施形態のメインシーケンス（図１６）と略同様である。したがって、以下の説明では、上述の第１，第２の実施形態における同じ処理ステップは同じステップ番号を附して説明を省略し、異なる処理ステップのみを以下に詳述する。
【０１０８】
図１９のステップＳ１０６において、信号処理及び制御部１１は、タッチスライド判定部１１ｃを介して上下スライドバー表示２１ｂの下方へのスライド操作の確認を行い、その確認がなされなかった場合には、ステップＳ１０６Ｃの処理に進む。  
ステップＳ１０６Ｃにおいて、信号処理及び制御部１１のタッチスライド判定部１１ｃは、背面表示部１８における所定領域のスライド操作の確認を行う。即ち、スライドガイド表示アイコン２２の上部へのタッチ操作とそれに続く下方への回動スライド操作、若しくはスライドガイド表示アイコン２２の下部へのタッチ操作とそれに続く上方への回動スライド操作、の何れの一連の操作がなされたかの確認を行う。ここで、上記いずれかのタッチ＆スライド操作が確認された場合には、ステップＳ１０６Ｄの処理に進む。また、上記いずれかのタッチ＆スライド操作が確認されない場合には、ステップＳ１０８の処理に進む。以降の処理は、上述の第２の実施形態（図１６）と同様である。
【０１０９】
一方、ステップＳ１０６Ｄにおいて、信号処理及び制御部１１は、背面表示部１８等を制御して、背面表示部１８へのフィルタアイコン２１の表示切り換えを行う。そして、背面表示部１８へのフィルタアイコン２１の表示が確定されたときには、設定されたフィルタアイコン２１に対応する特殊効果フィルタ画像処理を実行する。その後、ステップＳ１１１の処理に進む。以降の処理は、上述の第２の実施形態（図１６）と同様である。
【０１１０】
［第３の実施形態］
次に、本発明の第３の実施形態の撮影機器について、図２０〜図２３を用いて以下に説明する。図２０は本発明の第３の実施形態の撮影機器の概略構成を示す概念図である。
【０１１１】
本実施形態の基本的な構成は、上述の第１，第２の実施形態と略同様である。即ち、本実施形態の撮影機器１０Ｂにおいては、表示系の構成ブロックとして上述の第１，第２の実施形態における表示部１８に相当する背面表示部１８（図２０では不図示、図２１，図２２参照）のほかに、アクセサリシュー２５を利用して装着し得るように構成された着脱可能なファインダー形態からなる接眼表示部２０（図２０等）を具備し、さらに撮影レンズを交換可能に構成した点が異なる。
【０１１２】
接眼表示部２０は、上述の第２の実施形態における接眼表示部１９と同様のいわゆる電子ビューファインダー（ＥＶＦ）であるが、上記接眼表示部１９とは異なり、撮影機器１０Ｂに対して着脱自在に構成されている点が異なる。この場合において、接眼表示部２０は、撮影機器１０Ｂの上面に設けられるアクセサリシュー２５に対して着脱し得るように構成されている。その他の機能は上記接眼表示部１９と略同様である。そして、この接眼表示部２０も、背面表示部１８と択一的に動作するようになっている。
【０１１３】
また、本実施形態の撮影機器１０Ｂは、種類の異なる複数の撮影レンズ１２Ｂａ，１２Ｂａａを択一的に交換可能に構成されている。そして、本実施形態の撮影機器１０Ｂに装着して使用し得る撮影レンズ１２Ｂａ，１２Ｂａａ等は、各レンズの固有情報、具体的には例えばレンズ構成情報，最小絞り情報，開放絞り値情報，収差情報等の一般的なレンズ情報のほか、後述するレンズアイコン２１Ｅ等のアイコンデータ等を格納するレンズ情報格納メモリを有している（不図示；図１のレンズ情報記憶部１２ｄが相当する）。その他の構成は上述の第１，第２の実施形態と略同様である。したがって、それらの構成部材については同じ符号を附して詳細説明は省略する。
【０１１４】
このように構成された本実施形態の撮影機器１０Ｂを使用する際の作用を、図２１〜図２３を用いて以下に説明する。  
図２１は本実施形態の撮影機器を手に持って構えた時の撮影機器の背面側から見た際のようすを示す図である（第１の実施形態の図３に相当する）。図２２は図２１の状態においてフィルタアイコンを操作しているようすを示す図である（第１の実施形態の図５に相当する）。図２３は本実施形態の撮影機器の機器制御のメインフローチャートである。
【０１１５】
本実施形態の撮影機器１０Ｂにおいては、電源オン状態として機器を起動させると、装着されている撮影レンズ（１２Ｂａ，１２Ｂａａ等）のレンズ情報格納メモリからアイコンデータを読み出し、レンズアイコン２１Ｅを背面表示部１８及び接眼表示部２０の各所定部位、例えば使用者の右手１２０Ｒの親指１２０Ｒｂで操作し得る範囲内の部位に表示させる（図２１参照）。
【０１１６】
続いて、図２１の状態において、使用者が右手１２０Ｒの親指１２０Ｒｂを用いて背面表示部１８のレンズアイコン２１Ｅを例えばタッチ操作を行うと、図２２に示すようにフィルタアイコン２１Ｅｘが出現すると同時に、特殊効果フィルタ画像処理モードが起動する。この状態から続けてスライド操作（図２２の矢印Ｘ方向）を行うと、特殊効果フィルタ画像処理が適用される。
【０１１７】
次に、本実施形態の撮影機器１０Ｂの機器制御メインシーケンス（図２３）を以下に説明する。本実施形態の機器制御メインシーケンスは、上述の第２の実施形態のメインシーケンス（図１６）と略同様である。したがって、以下の説明では、上述の第１，第２の実施形態における同じ処理ステップは同じステップ番号を附して説明を省略し、異なる処理ステップのみを以下に詳述する。
【０１１８】
図２３のステップＳ１０１にて、撮影機器１０Ｂが撮影モードで起動していることが確認されてステップＳ１０１Ａの処理に進む。
【０１１９】
ステップＳ１０１Ａにおいて、信号処理及び制御部１１は、レンズ交換が行われたか否かの確認を行う。ここで、レンズ交換が行われたことが確認された場合には、ステップＳ１０１Ｂの処理に進む。また、レンズ交換が行われていない場合には、既に保持しているレンズ情報を利用することにしてステップＳ１０２Ａの処理に進む。
【０１２０】
ステップＳ１０１Ｂにおいて、信号処理及び制御部１１は、装着されている撮影レンズの制御部との通信を行って撮影レンズ側のレンズ情報格納メモリからアイコンデータを読み出し、撮影機器１０Ｂ側の内部メモリ（不図示）に一時的に記憶する。その後、ステップＳ１０２Ａの処理に進む。
【０１２１】
そして、ステップＳ１０３Ａの処理にて、画面外右側から画面内に向けてのスライド操作が確認されると、ステップＳ１０３Ｂの処理に進み、このステップＳ１０３Ｂにおいて、信号処理及び制御部１１の表示制御部１１ａは、上述のステップＳ１０１Ｂにおいて撮影レンズ側から読み込んで一時記憶してあるアイコンデータに基くレンズアイコン２１Ｅを背面表示部１８及び接眼表示部２０の所定部位に表示させる。その後、ステップＳ１０６の処理に進む。
【０１２２】
ステップＳ１０６において、信号処理及び制御部１１は、タッチスライド判定部１１ｃを介してレンズアイコン２１Ｅの下方へのスライド操作がなされたか否かの確認を行う。ここで、レンズアイコン２１Ｅの下方へのスライド操作が確認がなされなかった場合には、ステップＳ１０６Ａの処理に進む。以降の処理は、上記第２の実施形態（図１６）と同様である。
【０１２３】
一方、レンズアイコン２１Ｅの下方へのスライド操作が確認された場合には、ステップＳ１０７Ａの処理に進む。  
ステップＳ１０７Ａにおいて、信号処理及び制御部１１は、表示制御部１１ａを介してフィルタアイコン２１Ｅｘを表示させる。これと同時に、特殊効果フィルタ画像処理を適用する。その後、ステップＳ１０８Ａの処理に進む。
【０１２４】
ステップＳ１０８Ａにおいて、信号処理及び制御部１１は、操作判定部１５を監視してレンズリング１２ｃの回転操作がなされたか否かの確認を行う。この操作は、フィルタ効果の濃淡若しくは強弱調整等のための操作である。ここで、レンズリング１２ｃの回転操作が確認された場合には、次のステップＳ１０９の処理に進む。また、レンズリング１２ｃの回転操作が確認されない場合には、フィルタ効果の濃淡若しくは強弱調整等の設定が既に確定されているものとして、ステップＳ１１１の処理に進む。以降の処理は、上記第２の実施形態（図１６）と同様である。
【０１２５】
他方、上述のステップＳ１０３の処理にて、既に特殊効果フィルタ画像処理が適用済みであると確認されてステップＳ１０４の処理に進むと、このステップＳ１０４にて、レンズアイコン２１Ｅの上方へのスライド操作が確認されない場合には、上述のステップＳ１０８Ａの処理に進む。また、レンズアイコン２１Ｅの上方へのスライド操作が確認された場合には、ステップＳ１０５Ａの処理に進む。
【０１２６】
ステップＳ１０５Ａにおいて、信号処理及び制御部１１の表示制御部１１ａは、レンズアイコン２１Ｅの表示を消去する。これと同時に、背面表示部１８又は接眼表示部２０に表示中のライブビュー画像に対して設定済みの特殊効果フィルタ画像処理の解除する。その後、ステップＳ１１１の処理に進む。以降の処理は、上記第２の実施形態（図１６）と同様である。
【０１２７】
以上説明したように、上記第３の実施形態によれば、上述の第１，第２の実施形態と略同様の効果を得ることができるのに加えて、本実施形態によれば、撮影レンズの交換に伴って、装着されている撮影レンズに対応するレンズアイコン２１Ｅを表示させることができる。撮影レンズの交換の都度、異なる種類のレンズアイコン２１Ｅが表示されることになり、レンズ交換の効果を明示して使用者を安心させ、使用者を楽しませることができる。
【０１２８】
特殊効果フィルタ画像処理モードを起動させるのに際しては、撮影レンズの前面部位に光学フィルタを配置するが如く、背面表示部１８に表示中で装着された撮影レンズに対応するレンズアイコン２１Ｅの前面側の部位にフィルタアイコン２１Ｅを配置するような疑似的操作をタッチパネル１７ｂを介して行うような操作体系としたので、所望の操作を行うのに際しては、使用者は直感的な操作をすればよい。したがって、操作性の向上に寄与することができる。また、カメラをしっかりと構えたままで操作できるので、撮影に専念することができると同時に、手ブレ等を抑えることができ、さらに迅速な操作や確認が可能となる。
【０１２９】
上述の各実施形態で説明した各処理シーケンスは、その性質に反しない限り、手順の変更を許容し得る。したがって、上述の処理シーケンスに対して、例えば各処理ステップの実行順序を変更したり、複数の処理ステップを同時に実行させたり、一連の処理シーケンスを実行する毎に、各処理ステップの順序が異なるようにしてもよい。
【０１３０】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【０１３１】
本発明は、デジタルカメラ等の撮影機能に特化した電子機器である撮影機器に限られることはなく、例えば携帯電話，録音機器，電子手帳，パーソナルコンピュータ，ゲーム機器，テレビ，時計，ＧＰＳ（Global Positioning System）を利用したナビゲーション機器等、各種の撮影機能付き電子機器にも適用することができる。さらに、状況に応じ、手元操作で切り替えた画像処理に応じて、診断方法を切り替える医療用機器や、または、手元操作で画像処理を切り替えながら検査を行う産業装置にも応用が可能である。
【符号の説明】
【０１３２】
１０，１０Ａ，１０Ｂ……撮影機器，
１１……画像処理制御部，
１１ａ……表示制御部，
１１ｂ……撮影制御部，
１１ｂａ……特殊効果画像処理部，
１１ｃ……タッチスライド判定部，
１１ｄ……変換部，
１２……撮像部，
１２ａ，１２Ｂａ，１２Ｂａａ……レンズ，
１２ｂ……撮像素子，
１２ｃ……レンズリング，
１２ｄ……レンズ情報記憶部，
１４……記録部，
１５……操作判定部，
１６……アイセンサ，
１７……操作部，
１７ｂ……タッチパネル，
１７ｃ……シャッターボタン，
１７ｄ……ダイヤル，
１８……表示部，背面表示部，
１９……接眼表示部，
１９ｂ……接眼レンズ，
２０……接眼表示部，
２１，２１Ａ，２１Ｂ，２１Ｃ，２１Ｄ，２１Ｅ，２１Ｅｘ……フィルタアイコン，
２１ａ……フィルタ名表示，
２１ｂ……上下スライドバー表示，
２１ｃ……アイコンリング表示，
２２……スライドガイド表示アイコン，
２３……仮想円板，
２５……アクセサリシュー，
２９……時計部，
３１……通常アイコン，
【図１】
2018041491.tif 000003
【図２】
2018041491.tif 000004
【図３】
2018041491.tif 000005
【図４】
2018041491.tif 000006
【図５】
2018041491.tif 000007
【図６】
2018041491.tif 000008
【図７】
2018041491.tif 000009
【図８】
2018041491.tif 000010
【図９】
2018041491.tif 000011
【図１０】
2018041491.tif 000012
【図１１】
2018041491.tif 000013
【図１２】
2018041491.tif 000014
【図１３】
2018041491.tif 000015
【図１４】
2018041491.tif 000016
【図１５】
2018041491.tif 000017
【図１６】
2018041491.tif 000018
【図１７】
2018041491.tif 000019
【図１８】
2018041491.tif 000020
【図１９】
2018041491.tif 000021
【図２０】
2018041491.tif 000022
【図２１】
2018041491.tif 000023
【図２２】
2018041491.tif 000024
【図２３】
2018041491.tif 000025